(57)【要約】      （修正有）【課題】重量のある一斗缶等を容易に持ち、また中身を注ぎ出すにも安定した状態で取り扱うことができる容器運搬補助具を提供する。【解決手段】下部背面にハンドル２ａを備え、上下端に上下屈曲部を形成した略コの字状の支持材２と、前記下屈曲部２ｃの上面に取り付けた下保持プレート２ｄと、前記上屈曲部２ｂの下面に調節ネジを介して上下動可能に取り付けられた上部に調節部３ｃを備えた上保持プレート３とからなり、前記上下保持プレートで容器の上面及び底面を挟持することを特徴とする。【選択図】図６
0003152812.tif 000002
【実用新案登録請求の範囲】
【請求項１】
下部背面にハンドルを備え、上下端に上下屈曲部を形成した略コの字状の支持材と、前記下屈曲部の上面に取り付けた下保持プレートと、  前記上屈曲部の下面に調節ネジを介して上下動可能に取り付けられた上部に調節部を備えた上保持プレートとからなり、前記上下保持プレートで容器の上面及び底面を挟持することを特徴とする容器運搬保持具。
【請求項２】
前記上下保持プレートを略台形状のプレートとし、かつ前記下保持プレートを前記下屈曲部に段差を設けて固定し、前記段差に容器の底部の縁を嵌合し、角型の容器の上下角部を挟持することを特徴とする請求項１に記載の容器運搬補助具。
【請求項３】
前記上保持プレートとの間に隙間を設けて前記上保持プレートから垂下するガイドを備え、前記隙間に容器の縁を嵌合させるとともに前記ガイドで容器の側面を保持することを特徴とする請求項１又は請求項２に記載の容器運搬補助具。
【請求項４】
前記調節部を上保持プレートの上面に空間を設けた状態で取付け、前記上屈曲部の下側に位置させて、前記調節ネジを前記上屈曲部と前記調節部の上面に順次挿通して連結し、前記調節ネジの下部に制御ピンを取り付けて前記調節ネジにより上屈曲部と調節部が外れないようにしたことを特徴とする請求項１乃至請求項３のいずれか１項に記載の容器運搬補助具。
【考案の詳細な説明】
【技術分野】
【０００１】
本考案は、一斗缶やペール缶等を挟持、保持し、運搬や一斗缶等の取扱いを容易にするための容器運搬補助具に関する。
【背景技術】
【０００２】
従来、一斗缶から塗料や油等を出す場合、一方の手で一斗缶の取っ手を持ち、他方の手で一斗缶の底面を持って一斗缶を傾けることにより、中身を出していた。
【０００３】
しかしながら、一斗缶等の大型缶は中身が入っている状態では重量があり、一斗缶の底面に手を掛けるにも持ち手がないために薄く切り立った縁に指先を引っ掛けることしかできず、とても不安定な状態で注ぎ出さなければならなかった。
【先行技術文献】
【特許文献】
【０００４】
【特許文献１】特開平７−２２３６４９号公報
【考案の概要】
【考案が解決しようとする課題】
【０００５】
そこで、本考案は、重量のある一斗缶等を容易に持ち、また中身を注ぎ出すにも安定した状態で取り扱うことができる容器運搬補助具を提供することを目的とするものである。
【課題を解決するための手段】
【０００６】
本考案は、上記の課題を解決するために、下部背面にハンドル２ａを備え、上下端に上下屈曲部２ｂ、２ｃを形成した略コの字状の支持材２と、前記下屈曲部２ｃの上面に取り付けた下保持プレート２ｄと、前記上屈曲部２ｂの下面に調節ネジ３ａを介して上下動可能に取り付けられた上部に調節部３ｃを備えた上保持プレート３とからなり、前記上下保持プレートで容器の上面及び底面を挟持することを特徴とする容器運搬保持具と、前記上下保持プレートを略台形状のプレートとし、かつ前記下保持プレートを前記下屈曲部に段差を設けて固定し、前記段差に容器の底部の縁を嵌合し、角型の容器の上下角部を挟持することを特徴とする請求項１に記載の容器運搬補助具と、前記上保持プレートとの間に隙間を設けて前記上保持プレートから垂下するガイドを備え、前記隙間に容器の縁を嵌合させるとともに前記ガイドで容器の側面を保持することを特徴とする請求項１又は請求項２に記載の容器運搬補助具と、前記調節部３ｃを上保持プレート３の上面に空間を設けた状態で取付け、前記上屈曲部２ｂの下側に位置させて、前記調節ネジ３ａを前記上屈曲部２ｂと前記調節部３ｃの上面に順次挿通して連結し、前記調節ネジ３ａの下部に制御ピン３ｅを取り付けて前記調節ネジにより上屈曲部と調節部が外れないようにしたことを特徴とする請求項１乃至請求項３のいずれか１項に記載の容器運搬補助具の構成とした。
【考案の効果】
【０００７】
本考案である容器運搬補助具は、一斗缶の隅に一斗缶の上面から底面に掛けて取り付けるため一斗缶の底面を持つ必要がなく、中身を安定した状態で注ぎ出すことができる。
【０００８】
また、一斗缶の取っ手と本考案のハンドルを使用することで持ちやすさが増し、一斗缶の運搬が容易となる。
【図面の簡単な説明】
【０００９】
【図１】本考案である容器運搬補助具の正面図である。
【図２】本考案である容器運搬補助具の左側面図である。
【図３】本考案である容器運搬補助具の背面図である。
【図４】本考案である容器運搬補助具の平面図である。
【図５】本考案である容器運搬補助具の底面図である。
【図６】本考案である容器運搬補助具の使用状態を示した側面図である。
【図７】本考案である容器運搬補助具のＡ−Ａ線の断面図である。
【図８】本考案である容器運搬補助具の使用状態を示した平面図である。
【図９】本考案である容器運搬補助具の一部拡大断面図である。
【考案を実施するための形態】
【００１０】
以下に、添付図面に基づいて、本考案である容器運搬補助具について詳細に説明する。
【実施例１】
【００１１】
図１は本考案である容器運搬補助具の正面図、図２は容器運搬補助具の左側面図、図３は容器運搬補助具の背面図、図４は容器運搬補助具の平面図、図５は容器運搬補助具の底面図、図６は容器運搬補助具の使用状態を示した側面図、図７は容器運搬補助具のＡ−Ａ線の断面図、図８は容器運搬補助具の使用状態を示した平面図、図９は容器運搬補助具の一部拡大断面図である。
【００１２】
図１から図５に示すように、本考案である容器運搬補助具１は、支持材２の一端に上下可動手段によって上下移動する上保持プレート３、他端に下保持プレート２ｄを備えるとともに前記支持材２の背面の中央より下側にハンドル２ａを備え、前記上保持プレート３を移動させて前記上下保持プレート３、２ｄで容器４の上面及び底面を挟持する。
【００１３】
前記支持材２は、両端に上下屈曲部２ｂ、２ｃを形成した略コ字状をしており、前記上保持プレート３は上屈曲部２ｂの下側、前記下保持プレート２ｄは下屈曲部２ｃの上側に位置している。また、支持材２の背面側の中央付近には突設板２ｅが取り付けられている。
【００１４】
前記上保持プレート３の上面には空間を設けて調節部３ｃが固定されており、調節部３ｃの上面中央付近には孔が穿設されている。また、前記上屈曲部２ｂの中央付近にも孔が穿設されており、これら２つの孔に調節ネジ３ａが上方から下方に向けて螺合されている。
【００１５】
前記調節ネジ３ａのネジ部３ｇの下端付近である調節部３ｃの空間に位置する箇所には水平方向に向かって挿通孔３ｈが穿設されている。尚、この部分については、図９で図示している。この挿通孔３ｈには制御ピン３ｅが挿通され前記調節ネジを調節部３ｃに係止している。また、前記調節ネジ３ａの下端は前記上保持プレート上面に接触している。
【００１６】
尚、上保持プレート３の上面には前記調節ネジ３ａの下端を受けるための凹部を設けても良く、この凹部に調節ネジ３ａの下端を陥入させることがで上保持プレート３と調節ネジ３ａが安定する。
【００１７】
前記調節ネジ３ａは一方向に回転させると上方に向かっていき、これに伴って上保持プレート３も上方に移動する。反対に、調節ネジ３ａは他方向に回転させると下方に向かっていき、これに伴って上保持プレート３も下方に移動する。
【００１８】
図３から図５に示すように、前記上下保持プレート３、２ｄは略台形状をしており、前記上保持プレート３にはガイド３ｂ、３ｂが垂下して設けられている。このガイド３ｂは上保持プレート３との間に隙間３ｆを設けて備えられている。一方、前記下保持プレート２ｄは下屈曲部２ｃに段差を設けて固定されている。
【００１９】
図６から図８に示すように、本考案である容器運搬補助具１を一斗缶４に取り付けるには、一斗缶４の開口部４ａと反対側の角に取り付ける。
【００２０】
まず、一斗缶４の底面の角に下保持プレート２ｄを合わせて、下保持プレート２ｄと下屈曲部２ｃの間に設けた段差に一斗缶４の底面４ｄの縁４ｇを嵌合する。
【００２１】
次に、前記上保持プレート３の上底辺を一斗缶４の角側にし、上保持プレート３の対向する傾斜辺を一斗缶４の縁４ｆ、４ｆに沿わせた状態で上保持プレート３を一斗缶４の上面４ｃの角に合わせる。
【００２２】
上記の状態で調節ネジ３ａを締め方向に回転させると、上保持プレート３が下方に移動し、上下保持プレート３、２ｄで一斗缶４の上下角部を挟持した状態となる。
【００２３】
このとき、上保持プレート３とガイド３ｂの間に設けた隙間３ｆにも一斗缶４の上面４ｃの縁４ｆが嵌合されており、一斗缶４が左右に動くことない状態で本考案を取り付けることができる。
【００２４】
以上のように本考案を取付けた一斗缶の取っ手４ｂを一方の手で持ち、他方の手で本考案のハンドル２ａを持って一斗缶４の中身４ｅを注ぎ出すことや一斗缶の運搬が容易にできる。
【産業上の利用可能性】
【００２５】
本考案である容器運搬補助具は、一斗缶等の缶の取扱いを容易にしたため、中身の注ぎだしの際にこぼれることがなく、また、大量の缶を移動させる場合にも従来の重労働を緩和させることができるため一斗缶詰めの原料を扱う所において有効である。
【符号の説明】
【００２６】
１    容器運搬補助具
２    支持材
２ａ  ハンドル
２ｂ  上屈曲部
２ｃ  下屈曲部
２ｄ  下保持プレート
２ｅ  突設板
３    上保持プレート
３ａ  調節ネジ
３ｂ  ガイド
３ｃ  調節部
３ｄ  ワッシャ
３ｅ  制御ピン
３ｆ  隙間
３ｇ  ネジ部
３ｈ  挿通孔
４    一斗缶
４ａ  開口部
４ｂ  取っ手
４ｃ  上面
４ｄ  底面
４ｅ  中身
４ｆ  縁
４ｇ  縁
【図１】
0003152812.tif 000003
【図２】
0003152812.tif 000004
【図３】
0003152812.tif 000005
【図４】
0003152812.tif 000006
【図５】
0003152812.tif 000007
【図６】
0003152812.tif 000008
【図７】
0003152812.tif 000009
【図８】
0003152812.tif 000010
【図９】
0003152812.tif 000011